(57)【要約】  【課題】  シリンダー錠のキーコードを新規キーに合せて簡単に変更できるようにしたキーコード可変型シリンダー錠において、部品点数を増加することなく、操作性及び防盗性の高いマスターキー機構を提供すること。  【解決手段】  シリンダー１２に通常タンブラー１６とキーコード変更用のタンブラー１７とを備え、キーコード変更用のタンブラー１７は、第１タンブラー板１８に対して数段階に噛合自在とした第２タンブラー板１９を重ね合せして構成し、第１タンブラー板１８には第１キーコード係合部１８ｂを形成し、第２タンブラー板１９には第２キーコード係合部１９ｂを形成した。【選択図】  図４
2006336198.tif 000002
【特許請求の範囲】
【請求項１】
内周面に係合溝を有するホルダーと、このホルダー内に回転可能に収容し、キーを挿入して回転させるシリンダーとを備え、
前記シリンダーには、キーの挿入方向と直交する方向にばね勢力を与えた複数のタンブラ一と、キーの挿入前の状態ではタンブラーにより押動され前記ホルダーの係合溝に突入してシリンダーを非回転とし、かつ、キーの挿入によって整列した各タンブラーの切欠凹部にばね勢力で突入移動して前記係合溝から脱出しシリンダーを回転可能とするサイドバーとが設けられ、ユーザーが使用するユーザーキー及び管理者が使用するマスターキーのどちらでも施解錠可能なシリンダー錠において、
前記タンブラーの少なくとも一つのタンブラーは、相対移動可能に重ね合せた第１タンブラー板と第２タンブラー板とで形成し、
これら第１、第２タンブラー板には、前記サイドバーを突入移動させる切欠凹部を設けると共に、前記第１タンブラー板には第１キーコード係合部を形成し、前記第２タンブラー板には第２キーコード係合部を形成し、
前記キーには第１、第２キーコード部を形成し、前記第１、第２キーコード係合部のうち少なくとも一方が、前記第１、第２キーコード部のうち少なくとも一方に当接して駆動される構成としたことを特徴とするマスターキー機構を有するキーコード可変型シリンダー錠。
【請求項２】
請求項１に記載したシリンダー錠において、
前記第１、第２タンブラー板には、コード設定部を設け、このコード設定部は、弾性的に噛合し、新規ユーザーキーによって噛合位置を少なくとも２位置に変えることができる噛合部からなり、この噛合部の噛合位置を変えて第１キーコード係合部と第２キーコード係合部との相対的な位置を可変してキーコード設定する構成としたことを特徴とするマスターキー機構を有するキーコード可変型シリンダー錠。
【請求項３】
請求項１に記載したシリンダー錠において、
前記第１、第２タンブラー板には、コード設定部を設け、このコード設定部は、弾性的に噛合し、新規マスターキーによって噛合位置を少なくとも２位置に変えることができる噛合部からなり、この噛合部の噛合位置を変えて第１キーコード係合部と第２キーコード係合部との相対的な位置を可変してキーコード設定する構成としたことを特徴とするマスターキー機構を有するキーコード可変型シリンダー錠。
【発明の詳細な説明】
【技術分野】
【０００１】
本発明は、建物や車両などのドアに装備されるシリンダー錠に関し、詳しくは、キーコードを新規キーに合せて簡単に変更できるようにしたシリンダー錠において、管理用のマスターキー機構を有するキーコード可変型シリンダー錠に関するものである。
【背景技術】
【０００２】
建物や車両などのドアに装備されているシリンダー錠は、広く知られている通り、ドアに装着されるホルダーと、このホルダー内に回転可能に収容されたシリンダーとを有し、シリンダーにキーを差し入れないかぎり、シリンダーがホルダーに対して回転不能となって施錠となり、一方、キーをシリンダーに差し入れることで、シリンダーがホルダーに対して回転可能となり、キーを差し入れたままシリンダーを回転させることで解錠する構成となっている。
【０００３】
この種のシリンダー錠には、シリンダーにキーを差し込むことに連動させて多数のディスクタンブラー（以下単にタンブラーという）をホルダーの係合溝から脱出させシリンダーを回転可能に移行させるものの他に、シリンダーにキーを差し込むことに連動して多数のタンブラーの切欠凹部が直線上に整列し、この切欠凹部に突入するサイドバーがホルダーの係合溝から脱出してシリンダーを回転可能に移行させる構成のサイドバータイプのものがある。
【０００４】
また、マスターキー機能も周知の如く、例えば集合住宅の場合等で、各戸毎の錠に対応する子キー（ユーザーキー）と、管理用に全戸の各錠に対応する親キー（マスターキー）とで構成したものである。
上記ディスクタンブラーを用いたシリンダ錠のマスターキー機構として、刻みが片側にのみある片側キーを用いるものと、刻みを上下両側に対称状に形成した両側キーを用いるものが一般的である。
【０００５】
このような従来のシリンダー錠は、ユーザーキーを紛失したり、或いは、盗まれたようなときには施解錠することができないため、錠業者に錠の取り付け交換を依頼しなければならない。
しかし、錠の交換は、交換作業に時間がかかる上、錠代と作業代など高額な費用を負担することになる。
また、マンションの居住者が替わったときには、部屋の玄関ドア錠を新たな錠に交換することが多いが、このような場合にも上記同様に錠業者に交換依頼をする必要があった。
【０００６】
さらに、従来のシリンダー錠では、管理者がマスターキーを紛失したり、或いは、盗まれたようなときには、そのマスターキーが対応する全ての錠を交換する必要があり、多大な労力と高額な費用を負担することになっていた。
【０００７】
【特許文献１】実公平０７−００６４０７号公報
【発明の開示】
【発明が解決しようとする課題】
【０００８】
上記の問題を解決するため、シリンダー錠をドアに取付けた状態でキーコードを変更して施解錠できるようにしたキーコード可変型シリンダー錠が既に開発されているが、構造が複雑でコストが高く、信頼性にも問題があった。
【０００９】
また、このような従来のキーコード可変型シリンダー錠にマスターキー機構を備える場合、シリンダー錠の構成がますます複雑になり、シリンダー錠の大型化、組付工数及びコストの増大を招くという問題がある。
【００１０】
さらに、上記したような従来の片側キーを用いたマスターキーの場合、シリンダー錠のキー穴に挿入時にキーの上下を間違うと適正なキーでもキー穴に入らず、そのため暗い場所や急いでいる時に、なかなか施錠・解錠ができないことがあった。
そこで、両側キーを用いるシリンダー錠が増加しているが、両側キーを用いたマスターキーの場合、その構造上から１つのマスターキーに対するユーザーキーの数を余り多く作れないため、刻みが似たマスターキーグループは隣地同士で用いることができず、また何個かのユーザーキーがあると、それから推定してマスターキーを製作可能であり、悪用される危険がある、等の課題があった。
【００１１】
本発明は上記した実情にかんがみ、キーの紛失などによって施解錠できない場合には、特定の新規キーによって施解錠することにより、キーコードを自動的に変更することができ、以降はその新規キーによって施解錠することができるキーコード可変型シリンダー錠において、部品点数を増加することなく、操作性及び防盗性の高いマスターキー機構を提供することを目的とする。
【課題を解決するための手段】
【００１２】
上記した目的を達成するため、本発明では、第１の発明として、内周面に係合溝を有するホルダーと、このホルダー内に回転可能に収容し、キーを挿入して回転させるシリンダーとを備え、前記シリンダーには、キーの挿入方向と直交する方向にばね勢力を与えた複数のタンブラ一と、キーの挿入前の状態ではタンブラーにより押動され前記ホルダーの係合溝に突入してシリンダーを非回転とし、かつ、キーの挿入によって整列した各タンブラーの切欠凹部にばね勢力で突入移動して前記係合溝から脱出しシリンダーを回転可能とするサイドバーとが設けられ、ユーザーが使用するユーザーキー及び管理者が使用するマスターキーのどちらでも施解錠可能なシリンダー錠において、前記タンブラーの少なくとも一つのタンブラーは、相対移動可能に重ね合せた第１タンブラー板と第２タンブラー板とで形成し、これら第１、第２タンブラー板には、前記サイドバーを突入移動させる切欠凹部を設けると共に、前記第１タンブラー板には第１キーコード係合部を形成し、前記第２タンブラー板には第２キーコード係合部を形成し、前記キーには第１、第２キーコード部を形成し、前記第１、第２キーコード係合部のうち少なくとも一方が、前記第１、第２キーコード部のうち少なくとも一方に当接して駆動される構成としたことを特徴とするマスターキー機構を有するキーコード可変型シリンダー錠を提案する。
【００１３】
第２の発明としては、上記した第１の発明のシリンダー錠において、前記第１、第２タンブラー板には、コード設定部を設け、このコード設定部は、弾性的に噛合し、新規ユーザーキーによって噛合位置を少なくとも２位置に変えることができる噛合部からなり、この噛合部の噛合位置を変えて第１キーコード係合部と第２キーコード係合部との相対的な位置を可変してキーコード設定する構成としたことを特徴とするマスターキー機構を有するキーコード可変型シリンダー錠を提案する。
【００１４】
第３の発明としては、上記した請求項１に記載したシリンダー錠において、前記第１、第２タンブラー板には、コード設定部を設け、このコード設定部は、弾性的に噛合し、新規マスターキーによって噛合位置を少なくとも２位置に変えることができる噛合部からなり、この噛合部の噛合位置を変えて第１キーコード係合部と第２キーコード係合部との相対的な位置を可変してキーコード設定する構成としたことを特徴とするマスターキー機構を有するキーコード可変型シリンダー錠を提案する。
【発明の効果】
【００１５】
第１の発明のシリンダー錠は、シリンダー錠に新規キーを差し入れて施解錠操作することで、シリンダー錠に新たなキーコードが自動的に設定される可変コード式シリンダ錠において、第１タンブラー板に第１キーコード係合部を形成し、第２タンブラー板に第２キーコード係合部を形成し、第１、第２キーコード係合部のうち少なくとも一方が、キーに形成した第１、第２キーコード部のうち少なくとも一方に当接して駆動される。
この結果、新たに部品を追加することなく、第１、第２タンブラー板のうち一方の形状を変更するだけで、マスターキー機能を有する可変コード式シリンダ錠となる。
【００１６】
このシリンダー錠は、キーコード変更用タンブラーと通常のタンブラーとを組合せて配設したので、防盗性の高いシリンダー錠を数種類のキーコードに変更することができ、且つ、キーコード変更の前後で管理用のマスターキーを継続して使用することができる。
なお、全てのタンブラーをキーコード変更用タンブラーとして構成することもできる。
この場合には防盗性が低下するが、キーコードの変更可能な回数を増加することができる。
【００１７】
また、内溝キーのように、キーの上下の挿入方向を問わず（リバーシブル）、且つ、少なくとも２つのキーコード部を形成することができるキーを用いれば、操作性が良く、また、鍵違い数が多くなるため、防盗性の高いマスターキー機構を有するキーコード可変型シリンダー錠となる。
【００１８】
第２の発明のシリンダー錠は、コード設定部である噛合部の噛合位置が新規ユーザーキーの使用によって少なくとも２位置に変わって、第１、第２タンブラー板に形成された第１、第２キーコード係合部の相対位置が変更される。
この結果、ユーザーキーを紛失等により失くした場合でも、シリンダ錠を交換する必要がなく、新規ユーザーキーをシリンダー錠に差し入れて回転操作するだけで新たなユーザーキーに対応するキーコードに変更することができ、且つ、キーコード変更の前後で管理用のマスターキーは継続して使用することができる。
また、キーコード変更用に新たな部材や特別な操作を必要としないため、操作性が良く、安価に製造が可能なマスターキー機構を有するキーコード可変型シリンダー錠となる。
【００１９】
第３の発明のシリンダー錠は、コード設定部である噛合部の噛合位置が新規マスターキーの使用によって少なくとも２位置に変わって、第１、第２タンブラー板に形成された第１、第２キーコード係合部の相対位置が変更される。
この結果、マスターキーを紛失等により失くした場合でも、失くしたマスターキーが対応する全てのシリンダ錠を交換するという必要がなく、新規マスターキーをシリンダー錠に差し入れて回転操作するだけで新たなマスターキーに対応するキーコードに変更することができ、且つ、キーコード変更の前後でユーザーキーは継続して使用することができる。
また、キーコード変更用に新たな部材や特別な操作を必要としないため、操作性が良く、安価に製造が可能なマスターキー機構を有するキーコード可変型シリンダー錠となる。
【００２０】
したがって、シリンダー錠の全てのタンブラーのうち、いくつかのタンブラーをユーザーキーのキーコード変更用タンブラーとし、いくつかのタンブラーをマスターキーのキーコード変更用タンブラーとして構成することにより、ユーザーキー及びマスターキーを紛失等により失くしてしまった場合でも、シリンダー錠を交換することなく、新たなキーコードに変更することができる。
【発明を実施するための最良の形態】
【００２１】
次に、本発明の第１の実施形態について図面に沿って説明する。
図１は本発明の一実施形態として示したキーコード可変型シリンダー錠の正面図、図２は図１上のＡ−Ａ線拡大断面図、図３は上記シリンダー錠の主要部品を示した分解斜視図である。
【００２２】
図示するように、このシリンダー錠１０は、ホルダー１１、シリンダー１２、カバー１３、蓄光環１４、プレート１５によって構成されている。
このシリンダー錠１０は、ドアに形成した取付開口部の周囲部にホルダー１１を取付け、シリンダー１２のテールピース１２ａをドア内部に設けた錠装置に連結する。
【００２３】
上記のホルダー１１は、円筒状体のもので、その前端側には小径筒部１１ａと鍔部１１ｂとが設けてあり、また、内周面には２つの係合溝１１ｃ、１１ｄを対向面部に形成し、さらに、係合溝１１ｃ、１１ｄの中間となる面部には２つの凹形溝１１ｅ、１１ｆが対向形成してある。
なお、図１〜図３には凹形溝１１ｆが図示されていない。
【００２４】
上記したシリンダー１２は、ホルダー１１内に回転可能に収容され、プレート１５により抜け止めされた円柱状体のものである。
なお、プレート１５はホルダー１１に固着してある。
【００２５】
このシリンダー１２には、円柱軸心方向に内部形成したキー挿入穴１２ｂ、このキー挿入穴１２ｂと直交する方向に形成した多数のタンブラー孔１２ｃと、外周面に形成した略Ｉ形のサイドバー用穴１２ｄと、クリック機構用の小穴１２ｅとが設けてある。
【００２６】
図４はシリンダー１２に装備するタンブラー１６、１７とを示す。なお、本実施形態では同形状の７枚の通常タンブラー１６と同構成の３枚のキーコード変更用のタンブラー１７との１０枚のタンブラー構成としてある。
タンブラー１６は、短辺側を円弧状とした略矩形板からなる公知構成のもので、一側部にスプリング受部１６ａ、他側部に切欠凹部１６ｃを有し、さらに、板中に形成したキー孔部に第１キーコード係合部１６ｂと第２キーコード係合部１６ｄとを設けた構成となっている。
以下、このタンブラー１６を通常タンブラーと称して説明することがある。
【００２７】
タンブラー１７は、上記した通常タンブラー１６とほぼ同形状の第１タンブラー板１８と、ほぼＵ字形として第１タンブラー板１８に移動可能として重ね合せた第２タンブラー板１９とで構成したキーコード変更用タンブラーとなっている。
第１タンブラー板１８には、スプリング受部１８ａ、第１キーコード係合部１８ｂ、切欠凹部１８ｃ（図５参照）が設けてあり、第２タンブラー板１９には、第２キーコード係合部１９ｂ、切欠凹部１９ｃなどが設けてあるが、これら第１、第２タンブラー板１８、１９については詳細に後述する。
【００２８】
タンブラー１６、１７の各々は、シリンダー１２のタンブラー孔１２ｃに挿入し、各々のタンブラーに付設するスプリング２０ａ、２０ｂによってキー挿入穴１２ｂと直交する方向の押動勢力を与える。
【００２９】
具体的には、スプリング２０ａによって図４中右方向に押動勢力を与えたタンブラー１６、１７と、スプリング２０ｂによって図４中左方向に押動勢力を与えたタンブラー１６、１７とが備えてある。
つまり、各々のタンブラー孔１２ｃの一端部に設けたスプリング用穴１２ｆに各スプリング２０ａを内装した後、タンブラー１６、１７をタンブラー孔１２ｃに挿入し、それらのスプリング受部１６ａ、１８ａをスプリング２０ａに当接させ、そして、シリンダー１２に挿入するスプリングリッド２１によって各タンブラー１６、１７のスプリング受部１６ａ、１８ａを受け止めし、タンブラー１６、１７の抜け止めを行なう。
【００３０】
左方向に押動勢力を与えるタンブラー１６、１７は、各々のタンブラー孔１２ｃにタンブラー１６、１７を内装した後に、スプリング２０ｂをスプリング用穴１２ｆに挿入し、このスプリング２０ｂの一端部を上記のスプリングリッド２１に当接させるようにしてタンブラー１６、１７の抜け止めを行なうようにしてある。
【００３１】
また、上記のシリンダー１２には、図２、図３に示すように、サイドバー２２が装備してある。
このサイドバー２２は、両端部側を低い段面とした細長形体で、その下面が角形断面となっている。
上記のサイドバー２２は、シリンダー１２のサイドバ一用穴１２ｄに内装させるが、その両端部側の低段面と２つの止金具２３との間に設けたスプリング２４によってシリンダー１２内に没入するように移動勢力を受けている。
なお、止金具２３はサイドバー用穴１２ｄの両端部で加締め止めし、シリンダー１２に固定してある。
【００３２】
さらに、上記した小孔１２ｅには、ばね２６によって突出勢力を与えた小球２７を設け、この小球２７がホルダー１１の凹部１１ｇに突入し、キーの挿抜位置で節度感を与えるクリック機構を構成してある。
【００３３】
上記したカバー１３は、ホルダー１１の外周を覆うもので、ホルダー１１の鍔部１１ｂにねじ止めしてある。
また、カバー１３は、前側を円錐形に形成し、その前面端にシリンダー１２のキー挿入穴１２ｂを露出させる円形孔１３ａが設けてある。
【００３４】
上記した蓄光環１４は、例えば、蓄光材料を練り込んでポリカーボネイトで形成し、夜間に発光させるもので、これはカバー１４ａに接着剤で接着してある。
すなわち、カバー１４ａをホルダー１１の小径筒部１１ａの周面と前面とを覆うように加締め止めすることで、蓄光環１４をホルダー１１に固着する構成としてある。
【００３５】
上記したシリンダー錠１０は、キーをキー挿入穴１２ｂに挿入しない状態では、各タンブラー１６、１７の切欠凹部１６ｃ、１８ｃ、１９ｃが非整列となっているため、サイドバー２２がその切欠凹部１６ｃ、１８ｃ、１９ｃに突入することができず、タンブラー１６、１７の側部に当接して押し戻されている。
【００３６】
つまり、サイドバー２２がスプリング２４のばね勢力に抗してシリンダー１２より突出し、図２に示すように、ホルダー１１の係合溝１１ｃに突入している。
したがって、サイドバー２２が係合溝１１ｃに係合していることから、シリンダー１２の回転が阻止される。
この状態ではテールピース１２ａに連動する錠装置がドアロック又はドアアンロックの動作となる。
【００３７】
施錠している錠装置を解錠させるためキーをキー挿入穴１２ｂに挿入すると、キーのキーコード部にしたがってタンブラー１６、１７の第１キーコード係合部１６ｂ、１８ｂが駆動されることから、各タンブラー１６、１７が切欠凹部１６ｃ、１８ｃ、１９ｃ（切換凹部１８ｃ、１９ｃは一体的に移動する）を直線上に整列させるように移動する。
このため、サイドバー２２がスプリング２４のばね勢力で整列した切欠凹部１６ｃ、１８ｃ、１９ｃに突入移動する。
【００３８】
サイドバー２２が切欠凹部１６ｃ、１８ｃ、１９ｃに突入してシリンダー１２に没入すると、サイドバー２２がホルダー１１の係合溝１１ｃから脱出し、係合溝１１ｃによるサイドバー２２の係合が解放されるため、シリンダー１２の回転が可能になる。
【００３９】
したがって、キーを挿入したままシリンダー１２を左回転させることにより、テールピース１２ａに連動された錠装置がドアをアンロックさせるように動作する。
なお、キーの左回転は９０度の回転位置で錠装置によって規制される。
これより、施錠されていたドアを解錠し、ドアを開くことができる。
また、キーをキー挿入穴１２ｂより抜き取る場合は、キーを回転位置から右回転し、小球２７によるクリック機構の節度位置、つまり、図１に示すキーの差し入れ位置まで戻し回転して抜き出す。
【００４０】
ドアを施錠させる場合は、キーをキー挿入穴１２ｂに挿入し、シリンダー１２を上記とは反対に右方向に９０度回転させる。
このキー操作により錠装置がドアをロックするように動作する。
なお、この場合にもキーの右回転位置が錠装置によって規制される。
そして、キーを左回転して図１に示すキーの差し入れ位置に戻しキー挿入穴１２ｂから抜き取ることで、タンブラー１６、１７がスプリング２０ａ、２０ｂのばね勢力で戻り移動するため、サイドバー２２が切欠凹部１６ｃ、１８ｃ、１９ｃから脱出し、タンブラー１６、１７の側部に乗り上がるようになる。
したがって、サイドバー２２がシリンダー１２から突出してホルダー１１の係合溝１１ｃに突入し、図２に示す施錠状態となる。
【００４１】
続いて、タンブラー１７について説明する。
このタンブラー１７は、キーコード変更用タンブラーであって、シリンダー錠１０のキーコードを変更するためのものである。
【００４２】
すなわち、このタンブラー１７は、現行ユーザーキーを紛失したような場合に、シリンダー錠１０を交換することなく、キーコードを変更して新規ユーザーキーにより施解錠を可能にするためのものであって、本実施形態のタンブラー１７は、現行ユーザーキーによって施解錠できるキーコードの他に、２通り（２種類）のキーコードに変更できるものとなっている。
なお、詳細は後述するが、このタンブラー１７は、現行マスターキーを紛失したような場合も、上記のユーザーキーと同様に、シリンダー錠１０を交換することなく、キーコードを変更して新規マスターキーにより施解錠を可能にするように適用することも可能である。
【００４３】
図５は、タンブラー１７を形成する第１タンブラー板１８と第２タンブラー板１９とを示す斜視図で、図６は第１、第２タンブラー板１８、１９を重ね合せて形成したタンブラー１７の斜視図である。
【００４４】
図示するように、第１タンブラー板１８は、短辺側を円弧形状とした略矩形枠板で、通常タンブラー１６とほぼ同形の枠板形状となっている。
具体的には、一側部から突出形成したスプリング受部１８ａと、キー孔部１８ｄ内に突出形成した第１キーコード係合部１８ｂと、他側部に台形に切欠き形成した切欠凹部１８ｃとを有している。
【００４５】
さらに、第１タンブラー板１８は、第２タンブラー板１９を重ね合せるための肉薄面部１８ｅが形成してあり、また、肉厚面部１８ｆには一つの歯形からなる各々の噛合部１８ｇ、１８ｈが外向きに対向するように形成してある。
【００４６】
第２タンブラー板１９は、図示する如く、円弧形の当接部１９ａを形成したほぼＵ字形の板枠で、一方の板脚には第２キーコード係合部１９ｂと、台形に切欠き形成した切欠凹部１９ｃが設けてあり、さらには、両板脚の先端側となる部分には３つの歯底を設けた噛合部１９ｄ、１９ｅが形成してある。
【００４７】
このように形成した第１、第２タンブラー板１８、１９は、第２タンブラー板１９を第1タンブラー板１８の肉薄面部１８ｅに重ね合せ、その噛合部１９ｄ、１９ｅを第２タンブラー板１９の弾性を利用して第１タンブラー板１８の噛合部１８ｇ、１８ｈに噛合させて図６に示すタンブラー１７を形成している。
【００４８】
図７、図８、図９は第１タンブラー板１８と第２タンブラー板１９とによるキーコードの変更動作を示す説明図、図１０は噛合部１８ｇ、１８ｈ及び１９ｄ、１９ｅを拡大して示した第１、第２タンブラー板１８、１９の部分図で、１９ｄ１、１９ｅ１が第１噛合位置、１９ｄ２、１９ｅ２が第２噛合位置、１９ｄ３、１９ｅ３が第３噛合位置となっている。
【００４９】
図７は、第１タンブラー板１８に対して第２タンブラー板１９が、第１噛合位置１９ｄ１、１９ｅ１に噛合部１８ｇ、１８ｈが噛合した移動位置となっており、現行ユーザーキー若しくは現行マスターキーが使用できるキーコードの状態を示している。
【００５０】
図８は、第２タンブラー板１９が、第２噛合位置１９ｄ２、１９ｅ２に噛合部１８ｇ、１８ｈが噛合した移動位置となっており、キーコードが変更された状態を示している。
【００５１】
図９は、第２タンブラー板１９が、第３噛合位置１９ｄ３、１９ｅ３に噛合部１８ｇ、１８ｈが噛合する移動位置となっており、他のキーコードに変更されている状態を示して
いる。
【００５２】
第２タンブラー板１９を第１タンブラー板１８に対して上記のように移動設定すると、第１タンブラー板１８の第１キーコード係合部１８ｂと第２タンブラー板１９の切欠凹部１９ｃとの位置関係が変わる。
つまり、第２タンブラー板１９を上記のように移動設定した場合、第１キーコード係合部１８ｂの位置と第２タンブラー板１９の切欠凹部１９ｃの位置とが図７から図８に又は図８から図９に示すように変り、シリンダー錠１０のキーコードが変更される。
【００５３】
言換えれば、第２タンブラー板１９の移動設定により、図８又は図９に示す第１キーコード係合部１８ｂの変化位置で、この第１キーコード係合部１８ｂを駆動することのできる異なるキーコードをもった各々のユーザーキー若しくはマスターキーを使用しなければ施解錠することができないシリンダー錠１０となる。
【００５４】
ここで、第２キーコード係合部１９ｂは第２タンブラー板１９に形成されているため、第２タンブラー板１９の第２キーコード係合部１９ｂと切欠凹部１９ｃとの位置関係は変化しない。
したがって、第２タンブラー板１９を第１タンブラー板１８に対して図７から図8に又は図８から図９に示すように移動設定しても、第２タンブラー板１９の第２キーコード係合部１９ｂの位置は切欠凹部１９ｃに対して変化しないため、第２タンブラー板１９の移動設定の前後において、この第２キーコード係合部１９ｂを駆動するようにキーコードが設定されたキーを用いれば、上記したキーコード変更の前後において共通して施解錠することができるシリンダー錠１０となる。
【００５５】
なお、第２タンブラー板１９が移動することによって、切欠凹部１９ｃと第１タンブラー板１８の切欠凹部１８ｃとの位置が変わるため、切欠凹部１９ｃの切欠幅に対して切欠凹部１８ｃの切欠幅を広く形成し、第２タンブラー板１９が上記のように移動した場合でも、サイドバー２２がこれら切欠凹部１８ｃ、１９ｃに突入可能となるようにしてある。
【００５６】
図１１（Ａ）は、現行ユーザーキー（キーコード変更前に使用可能なキー）３０の正面図、図１１（Ｂ）は同キー３０の右側面図である。
図示する如くこのキー３０には、第１キーコード部３０ａと、第２キーコード部３０ｂが形成してある。
なお、両面に第１キーコード部３０ａと第２キーコード部３０ｂを形成することにより、表裏を反転させて挿入しても施解錠できるようになっている。
【００５７】
このユーザーキー３０は、第１キーコード部３０ａによって図４右方向に押動勢力を与えたタンブラー１６、１７の第１キーコード係合部１６ｂ、１８ｂを駆動し、第２キーコード部３０ｂによって図４左方向に押動勢力を与えたタンブラー１６、１７の第１キーコード係合部１６ｂ、１８ｂを駆動させる構成としてある。
【００５８】
本実施形態のシリンダー錠１０は、図４に示したように７枚の通常タンブラー１６と３枚のキーコード変更用のタンブラー１７とを備えているから、キーコード変更前は上記ユーザーキー３０を挿入することにより、第１キーコード部３０ａ、第２キーコード部３０ｂによって全てのタンブラーが駆動され、各々のタンブラー１６、１７の切欠凹部１６ｃ、１８ｃ、１９ｃが直線上に整列し、サイドバー２２がその切欠凹部１６ｃ、１８ｃ、１９ｃに突入移動してシリンダー１２の回転が可能になる。
【００５９】
また、図８又は図９のように、キーコード変更用のタンブラー１７によってシリンダー錠１０のキーコードを変更する場合は、上記した現行ユーザーキー３０の第１キーコード部３０ａのうち、キーコード変更用のタンブラー１７の第１キーコード係合部１８ｂを駆動するコード部分を変えた新規ユーザーキーを使用する。
【００６０】
つまり、図７から図８のキーコードに、図８から図９のキーコードに変更するとすれば、各々のキーコードに変更することができる別々の新規ユーザーキーを使用することになる。
【００６１】
次に、図１２〜図１９を参照しながら上記したキーコード変更用のタンブラー１７を備えるシリンダー錠１０におけるユーザーキーのキーコード変更操作について説明する。
図１２は、キーを挿入前のキーコード変更用のタンブラー１７とサイドバー２２の動作状態を示す。
なお、この図はスプリング２０ａによって図４右方向に押動勢力を与えたキーコード変更用のタンブラー１７を示している。
図示するように、第１タンブラー板１８と第２タンブラー板１９は噛合部１８ｇ、１８ｈが第１噛合位置１９ｄ１、１９ｅ１に噛合している。
【００６２】
そして、これら第１、第２タンブラー板１８、１９の切欠凹部１８ｃ、１９ｃが通常タンブラー１６の切欠凹部１６ｃと共にサイドバー２２の突入位置からずれた位置となっており、このため、サイドバー２２がシリンダー１２から突出しホルダー１１の係合溝１１ｃに突入している。
この結果、シリンダー１２が回転しない動作状態となっている。
【００６３】
図１３は、上記した現行ユーザーキー３０をキー挿入穴１２ｂに挿入した状態を示す。
現行ユーザーキー３０を挿入すると、現行ユーザーキー３０の第１キーコード部３０ａによって第１タンブラー板１８の第１キーコード係合部１８ｂが駆動され、第１タンブラー板１８と第２タンブラー板１９とが一体的に下降移動する。
【００６４】
これより、第１タンブラー板１８の切欠凹部１８ｃと第２タンブラー板１９の切欠凹部１９ｃがサイドバー２２の突入可能位置に一体的に移る。
なお、通常タンブラー１６の第１キーコード係合部１６ｂも現行ユーザーキー３０の第１キーコード部３０ａによって同様に駆動されるため、サイドバー２２の突入可能位置に移るから、タンブラー１６、１７の全ての切欠凹部１６ｃ、１８ｃ、１９ｃが整列する。
したがって、サイドバー２２が切欠凹部１６ｃ、１８ｃ、１９ｃに突入移動してホルダー１１の係合溝１１ｃから脱出し、シリンダー１２が回転可能となる。
【００６５】
図１４は、図１２に示すシリンダー１２の状態において、新規ユーザーキー４０をキー挿入穴１２ｂに挿入した動作状態を示す。
新規ユーザーキー４０は上記した現行ユーザーキー３０に比べキーコード変更用のタンブラー１７を駆動する第１キーコード部４０ａが異なるものとなっている。
つまり、キーコード変更用のタンブラー１７の第１キーコード係合部１８ｂを駆動する第１キーコード部４０ａの突出量を大きくした新規ユーザーキー４０としてある。
【００６６】
したがって、新規ユーザーキー４０を挿入すると、第１タンブラー板１８の第１キーコード係合部１８ｂが第１キーコード部４０ａによって駆動され、第１タンブラー板１８と第２タンブラー板１９が新規ユーザーキー４０の第１キーコード部４０ａにしたがって一体的に下降し、第２タンブラー板１９の当接部１９ａがホルダー１１の凹形溝１１ｆに入り込む。
【００６７】
また、第１タンブラ一板１８の切欠凹部１８ｃと第２タンブラー板１９の切欠凹部１９ｃとの相対位置関係は変わらないから、これら切欠凹部１８ｃ、１９ｃがサイドバー２２の突入可能位置に移る。
なお、現行ユーザーキー３０の挿入時及び新規ユーザーキー４０の挿入時のどちらかの場合でも、サイドバー２２が突入することができるように切欠凹部１８ｃ、１９ｃの幅が形成してある。
また、通常タンブラー１６も新規ユーザーキー４０によって駆動されるため、全てのタンブラー１６、１７の切欠凹部１６ｃ、１８ｃ、１９ｃが整列し、サイドバー２２が切欠凹部１６ｃ、１８ｃ、１９ｃに突入移動し、シリンダー１２が回転可能となる。
【００６８】
続いて、新規ユーザーキー４０によってシリンダー１２を回転すると、図１５に示す如く、第２タンブラー板１９の当接部１９ａがホルダー１１の凹形溝１１ｆの側部に当接し、さらに、シリンダー１２を回転すると、当接部１９ａに作用する押動によって図１６に示す如く、第２タンブラー板１９が図示するように後退移動する。
【００６９】
この場合、第１タンブラー板１８は、その第１キーコード係合部１８ｂが新規ユーザーキー４０の第１キーコード部４０ａに当っているため移動せず、第２タンブラー板１９のみが図示矢印方向に移動する。
このため、第１タンブラー板１８の噛合部１８ｇ、１８ｈが第２タンブラー板１９の第１噛合位置１９ｄ１、１９ｅ１から第２噛合位置１９ｄ２、１９ｅ２に移り、キーコード変更が行なわれる。
つまり、このとき第１キーコード係合部１８ｂに対する第２タンブラー板１９の切欠凹部１９ｃの相対位置が変化する。
なお、このとき第２キーコード係合部１９ｂに対する第２タンブラー板１９の切欠凹部１９ｃの相対位置は変化しない。
【００７０】
図１７は、上記のようにキーコードを変更した後、新規ユーザーキー４０によってシリンダー１２を戻り回転させ、続いて、新規ユーザーキー４０を抜き取った動作状態を示す。
新規ユーザーキー４０を抜き取ると、第１タンブラー板１８と第２タンブラー板１９とが一体的に上昇移動するため、これらの切欠凹部１８ｃ、１９ｃからサイドバー２２が脱出する。
なお、通常タンブラー１６も同様の動作となる。
これより、サイドバー２２がホルダー１１の係合溝１１ｃに突入し、シリンダー１２の回転が阻止される。
【００７１】
図１８は、新規ユーザーキー４０によってキーコードを変更したシリンダー錠１０に現行ユーザーキー３０を挿入した状態を示す。
この場合は、第１キーコード係合部１８ｂと第２タンブラー板１９の切欠凹部１９ｃの相対位置関係が新規ユーザーキー４０に対応しており、第２タンブラー板１９の切欠凹部１９ｃが上方に移動しているため、現行ユーザーキー３０を挿入しても、その切欠凹部１９ｃがサイドバー２２の突入可能位置に移動しない。
【００７２】
したがって、現行ユーザーキー３０ではシリンダー１２が回転しないため、現行ユーザーキー３０の使用では施解錠することができない。
つまり、新規ユーザーキーでキーコードを変更した後は、従来のユーザーキー（キーコード変更前に使用していたユーザーキー）は使用することができなくなる。
【００７３】
上記では、噛合部１８ｇ、１８ｈを第２噛合位置１９ｄ２、１９ｅ２に噛合させてキーコードを変更したが、噛合部１８ｇ、１８ｈを第３噛合位置１９ｄ３、１９ｅ３に噛合させてキーコードを変更する場合も他の新規ユーザーキーを使用して同様に行なうことができる。
【００７４】
以上は、スプリング２０ａによって図４右方向に押動勢力を与えたタンブラー１６、１７について説明したが、スプリング２０ｂによって図４左方向に押動勢力を与えたタンブラー１６、１７は同様の動作となる。
【００７５】
すなわち、図１９に示すように、図４左方向に押動勢力を与えたキーコード変更用のタンブラー１７の第１キーコード係合部１８ｂが現行ユーザーキー３０の第２キーコード部３０ｂによって駆動される。
なお、同方向に押動勢力を与えたタンブラー１６も同様となる。
これより、タンブラー１６、１７の切欠凹部１６ｃ、１８ｃが整列するようになる。
また、キーコード変更用のタンブラー１７のキーコード変更動作は上記同様の動作となる。
【００７６】
次に、図２０〜図２２を参照しながら、ユーザーキーのキーコード変更用のタンブラー１７におけるマスターキー機構について説明する。
図２０（Ａ）は、マスターキー５０（管理用に全戸の各錠に共通して対応する親キー）の正面図、図１１（Ｂ）は同マスターキー５０の右側面図である。
図示する如くこのマスターキー５０には、前述のユーザーキー３０と同様に、第１キーコード部５０ａと、第２キーコード部５０ｂが形成してあり、両面に第１キーコード部５０ａと第２キーコード部５０ｂを形成することにより、表裏を反転させて挿入しても施解錠できるようになっている。
【００７７】
このマスターキー５０は、図４左方向に押動勢力を与えたタンブラー１６、１７の第２キーコード係合部１６ｄ、１９ｂを第１キーコード部５０ａによって駆動し、図４右方向に押動勢力を与えたタンブラー１６、１７の第２キーコード係合部１６ｄ、１９ｂを第２キーコード部５０ｂによって駆動させる構成としてある。
【００７８】
前述した通り、本実施形態のシリンダー錠１０は、図４に示す７枚の通常タンブラー１６と３枚のキーコード変更用のタンブラー１７とを備えており、マスターキー５０を挿入すると、第１キーコード部５０ａ、第２キーコード部５０ｂによって全てのタンブラーの第２キーコード係合部１６ｄ、１９ｂが駆動され、各々のタンブラー１６、１７の切欠凹部１６ｃ、１８ｃ、１９ｃが直線上に整列し、サイドバー２２がその切欠凹部１６ｃ、１８ｃ、１９ｃに突入移動してシリンダー１２の回転が可能になる。
【００７９】
図２１は、ユーザーキーのキーコードを変更する前のシリンダー１２（図１２参照）に、マスターキー５０を挿入したキーコード変更用のタンブラー１７の動作状態を示す。
この図で示すキーコード変更用のタンブラー１７は、スプリング２０ａによって図４右方向に押動勢力を与えられている。
図示するように、第１タンブラー板１８と第２タンブラー板１９は噛合部１８ｇ、１８ｈが第１噛合位置１９ｄ１、１９ｅ１に噛合している。
【００８０】
マスターキー５０を挿入すると、マスターキー５０の第２キーコード部５０ｂによって第２タンブラー板１９の第２キーコード係合部１９ｂが駆動され、第１タンブラー板１８と第２タンブラー板１９とが一体的に下降移動する。
これより、第１タンブラー板１８の切欠凹部１８ｃと第２タンブラー板１９の切欠凹部１９ｃがサイドバー２２の突入可能位置に一体的に移る。
なお、通常タンブラー１６の第２キーコード係合部１６ｄもマスターキー５０の第２キーコード部５０ｂによって同様に駆動されるため、サイドバー２２の突入可能位置に移るから、タンブラー１６、１７の全ての切欠凹部１６ｃ、１８ｃ、１９ｃが整列する。
【００８１】
このように、マスターキー５０の第２キーコード部５０ｂは、第１キーコード部５０ａと第１タンブラー板１８の第１キーコード係合部１８ｂとの係合が優先されないようにキーコード設定されている。
つまり、マスターキー５０の第１キーコード部５０ａが、第１タンブラー板１８の第１キーコード係合部１８ｂと係合せず、マスターキー５０の第２キーコード部５０ｂが第２タンブラー板１９の第２キーコード係合部１９ｂと係合するよう、マスターキー５０のキーコードを設定する。
なお、マスターキー５０の第２キーコード部５０ｂと第２タンブラー板１９の第２キーコード係合部１９ｂが係合する位置であれば、第１キーコード部５０ａと第１キーコード係合部１８ｂが同時に係合してもよい。
【００８２】
この結果、マスターキー５０の第２キーコード部５０ｂが第２タンブラー板１９の第２キーコード係合部１９ｂを駆動して、タンブラー１６、１７の全ての切欠凹部１６ｃ、１８ｃ、１９ｃが整列する。
したがって、サイドバー２２が切欠凹部１６ｃ、１８ｃ、１９ｃに突入移動してホルダー１１の係合溝１１ｃから脱出し、シリンダー１２が回転可能となる。
【００８３】
以上は、スプリング２０ａによって図４右方向に押動勢力を与えたタンブラー１６、１７について説明したが、スプリング２０ｂによって図４左方向に押動勢力を与えたタンブラー１６、１７も同様の動作となる。
【００８４】
図２２は、新規ユーザーキー４０によりキーコードを変更する前のシリンダー１２（図１９参照）に、マスターキー５０を挿入したキーコード変更用のタンブラー１７の動作状態を示す。
この図で示すように、図４左方向に押動勢力を与えたキーコード変更用のタンブラー１７の第２キーコード係合部１９ｂがマスターキー５０の第１キーコード部５０ａによって駆動される。
なお、同方向に押動勢力を与えたタンブラー１６も同様となる。
これより、タンブラー１６、１７の切欠凹部１６ｃ、１８ｃが整列するようになる。
【００８５】
このように、マスターキー５０の第１キーコード部５０ａは、第２キーコード部５０ｂと第１タンブラー板１８の第１キーコード係合部１８ｂとの係合が優先されないようにキーコード設定されている。
つまり、マスターキー５０の第２キーコード部５０ｂが、第１タンブラー板１８の第１キーコード係合部１８ｂと係合せず、マスターキー５０の第１キーコード部５０ａが第２タンブラー板１９の第２キーコード係合部１９ｂと係合するよう、マスターキー５０のキーコードを設定する。
なお、マスターキー５０の第１キーコード部５０ａと第２タンブラー板１９の第２キーコード係合部１９ｂが係合する位置であれば、第２キーコード部５０ｂと第１キーコード係合部１８ｂが同時に係合してもよい。
【００８６】
この結果、マスターキー５０の第１キーコード部５０ａが第２タンブラー板１９の第２キーコード係合部１９ｂを駆動して、タンブラー１６、１７の全ての切欠凹部１６ｃ、１８ｃ、１９ｃが整列する。
したがって、サイドバー２２が切欠凹部１６ｃ、１８ｃ、１９ｃに突入移動してホルダー１１の係合溝１１ｃから脱出し、シリンダー１２が回転可能となる。
【００８７】
ユーザーキーのキーコードを変更する前のシリンダー１２におけるマスターキー機構について説明したが、キーコード変更用のタンブラー１７の第２キーコード係合部１９ｂは第２タンブラー板１９に形成されているため、第２タンブラー板１９の第２キーコード係合部１９ｂと切欠凹部１９ｃとの位置関係は、キーコードを変更する前後で変化しない。
つまり、第２タンブラー板１９を第１タンブラー板１８に対して図７から図８に又は図８から図９に示すように移動設定しても、第２タンブラー板１９の第２キーコード係合部１９ｂの位置は切欠凹部１９ｃに対して変化しないため、第２タンブラー板の移動設定の前後において、共通のキーコードを有するキー（例えばマスターキー５０）を用いて第２キーコード係合部１９ｂを駆動することができる。
【００８８】
このように、マスターキー５０を用いると、キーコード変更用タンブラー１７のユーザーキーのキーコード変更の前後に関係なく、タンブラー１６、１７の第２キーコード係合部１６ｄ、１９ｂを駆動できるよう構成されている。
【００８９】
次に、上記した第１の実施形態のシリンダー錠１０において、マスターキー５０によりタンブラー１７のキーコードを変更する構成について、本発明の第２の実施形態として説明する。
この第２の実施形態のシリンダー錠１０は、図４に示す３枚のキーコード変更用のタンブラー１７のうち、少なくとも１枚をマスターキーのキーコード変更用タンブラー１７としている。
図２３は、現行マスターキー５０をシリンダー１２のキー挿入穴１２ｂに挿入した動作状態を表し、図２４は、新規マスターキー６０をキー挿入穴１２ｂに挿入した動作状態を示す。
この第２の実施形態は、上記第１の実施形態の現行ユーザーキー３０を現行マスターキー５０に、新規ユーザーキー４０を新規マスターキー６０に変更したものであり、これ以外の構成、及びキーコード変更操作については上記第１の実施形態と同様であるため、詳細な説明は省略する。
【００９０】
第２の実施形態におけるキーコード変更用のタンブラー１７は、マスターキーのキーコードを変更するために用いられ、現行マスターキー５０を紛失等により失くした場合に、新規マスターキー６０をシリンダー１２のキー挿入穴１２ｂに挿入し、新規マスターキー６０を回転操作すると、第１の実施形態と同様に、タンブラー１７のキーコードが変更されるように構成されている。
新規マスターキー６０でキーコードを変更した後は、従来のマスターキー（キーコード変更前に使用していたマスターキー５０）は使用することができなくなる。
なお、新規マスターキー６０を用いてタンブラー１７のキーコードを変更した後も、ユーザーキーは継続して使用することが可能である。
【００９１】
したがって、上記の第１、第２の実施形態を組み合わせることにより、同一のシリンダー錠１０において、ユーザーキーのキーコードを変更することが可能で、且つ、マスターキーのキーコードを変更することが可能となる。
【００９２】
以上の実施形態において説明したマスターキー機構を有するシリンダー錠を、マンション等の集合住宅の管理用として、各戸にはユーザーキー３０のキーコードが個別に異なるシリンダー錠１０を設置し、これら全戸のシリンダー錠１０に対応するマスターキー５０を設定すれば、管理用としてマスターキー５０を利用することができる。
また、ユーザーがユーザーキー３０を盗難されたり紛失した場合、ユーザーが新規ユーザーキー４０又は他の新規ユーザーキーを用いてキーコードを変更したシリンダー錠１０に対しても、マスターキー５０を変更する必要がなく同じマスターキー５０を使用することができるため、利便性が高くコストを削減することができる。
さらに、管理者がマスターキー５０を盗難されたり紛失した場合、管理者が新規マスターキー６０又は他の新規マスターキーを用いてキーコードを変更したシリンダー錠１０に対しても、各戸のユーザーはユーザーキー３０を変更する必要がなく継続してユーザーキー３０を使用することができるため、利便性が高く管理コストを削減することができる。
【００９３】
また、本発明の実施形態では、操作性が良く、鍵違い数の多いマスターキー機構を有するキーコード可変型シリンダー錠を提供するため、キーの上下の挿入方向を問わず（リバーシブル）、且つ、少なくとも２つのキーコード部を形成することができるキーとして内溝キーを用いて説明を行ったが、刻みを上下両側に対称状に形成した両側キー等、他のタイプのキーを用いても良い。
【００９４】
本発明のシリンダー錠１０は、タンブラー数を任意に定めることができるが、上記した実施形態において説明したように、新規ユーザーキー又は新規マスターキーを挿入することによってキーコードが自動的に変更されるから、キーコード変更用のタンブラー１７の枚数を多くするほどセキュリティ面において信頼性が低下する。
したがって、例えば、１０枚のタンブラーを備えるシリンダー錠であれば、そのうち２〜３枚のタンブラーをキーコード変更用のタンブラー１７とすることが好ましい。
【００９５】
なお、本発明では、鍵違い数を多くするため、図４に示すタンブラー１６、１７の押動勢力を左右方向へ無作為に与えているが、全てのタンブラー１６、１７について同方向に押動勢力を与えるシリンダー錠としてもよく、また、第１タンブラー板１８の噛合部１８ｇ、１８ｈの歯数と第２タンブラー板１９の噛合部１９ｄ、１９ｅの歯数については任意に定めることができ、また、上記実施形態に示した噛合部１８ｇ、１８ｈを第２タンブラー板１９に、噛合部１９ｄ、１９ｅを第１タンブラー板１８に設けてもよい。
また、上記の実施形態では、キーコード変更用のタンブラー１７は、ユーザーキーのキーコード変更用、若しくはユーザーキーとマスターキーの両方のキーコード変更用として説明したが、全てのタンブラー１７をマスターキーのキーコード変更用としても良い。
【産業上の利用可能性】
【００９６】
建物や車輌のドアなどに備えるシリンダー錠として利用することができる。
【図面の簡単な説明】
【００９７】
【図１】本発明に係るキーコード可変型シリンダー錠の一実施形態を示すシリンダー    錠の正面図である。
【図２】図1上のA−（A）線拡大断面図である。
【図３】上記したシリンダー錠の主要部品を示した分解斜視図である。
【図４】上記したシリンダー錠に備えたシリンダーとタンブラーとを示す分解斜視図    である。
【図５】上記したシリンダー錠に備えるキーコード変更用タンブラーを示す分解斜視    図である。
【図６】上記したキーコード変更用タンブラーの斜視図である。
【図７】上記したキーコード変更用タンブラーの正面図である。
【図８】キーコードを変更した動作を示す図7同様のタンブラーの正面図である。
【図９】他のキーコードに変更した動作を示す図7同様のタンブラーの正面図である。
【図１０】キーコード変更用タンブラーに設けた噛合部を示す部分拡大図である。
【図１１】（Ａ）は現行ユーザーキーの正面図であり、（Ｂ）は現行ユーザーキーの右側面図である。
【図１２】ホルダーとシリンダーとを断面してキー挿入前のキーコード変更用タンブ    ラーの動作を示した断面図である。
【図１３】現行ユーザーキーを挿入した状態を示す図１２同様の断面図である。
【図１４】新規ユーザーキーを挿入した状態を示す図１２同様の断面図である。
【図１５】キーコードの変更動作を示す図１２同様の断面図である。
【図１６】キーコードの変更動作を示す図１２同様の断面図である。
【図１７】キーコード変更後にキーを抜き出した状態を示す図１２同様の断面図であ    る。
【図１８】キーコード変更後に現行ユーザーキーを挿入したときの動作を示す図１２同様の断面図である。
【図１９】反対方向の押動勢力を与えたキーコード変更用タンブラーを示す図１２同様の断面図である。
【図２０】（Ａ）はマスターキーの正面図であり、（Ｂ）はマスターキーの右側面図である。
【図２１】マスターキーを挿入した状態を示す図１２同様の断面図である。
【図２２】反対方向の押動勢力を与えたキーコード変更用タンブラーにマスターキーを挿入した状態を示す図１２同様の断面図である。
【図２３】現行マスターキーを挿入した状態を示す図１２同様の断面図である。
【図２４】新規マスターキーを挿入した状態を示す図１２同様の断面図である。
【符号の説明】
【００９８】
１０  シリンダー錠
１１  ホルダー
１１ｃ、１１ｄ  係合溝
１１ｅ、１１ｆ  凹形溝
１２  シリンダー
１２ｂ  キー挿入穴
１６  通常タンブラー
１７  キーコード変更用のタンブラー
１８  第１タンブラー板
１８ａ  スプリング受部
１８ｂ  第１キーコード係合部
１８ｃ  切欠凹部
１８ｄ  キー孔部
１８ｅ  肉薄面部
１８ｆ  肉厚面部
１８ｇ、１８ｈ  噛合部
１９  第２タンブラー板
１９ａ  当接部
１９ｂ  第２キーコード係合部
１９ｃ  切欠凹部
１９ｄ、１９ｅ  噛合部
２２  サイドバー
２５  保持板
３０  現行ユーザーキー
３０ａ  第１キーコード部
３０ｂ  第２キーコード部
４０  新規ユーザーキー
４０ａ  第１キーコード部
４０ｂ  第２キーコード部
５０  マスターキー
５０ａ  第１キーコード部
５０ｂ  第２キーコード部
６０  新規マスターキー
【図１】
2006336198.tif 000003
【図２】
2006336198.tif 000004
【図３】
2006336198.tif 000005
【図４】
2006336198.tif 000006
【図５】
2006336198.tif 000007
【図６】
2006336198.tif 000008
【図７】
2006336198.tif 000009
【図８】
2006336198.tif 000010
【図９】
2006336198.tif 000011
【図１０】
2006336198.tif 000012
【図１１】
2006336198.tif 000013
【図１２】
2006336198.tif 000014
【図１３】
2006336198.tif 000015
【図１４】
2006336198.tif 000016
【図１５】
2006336198.tif 000017
【図１６】
2006336198.tif 000018
【図１７】
2006336198.tif 000019
【図１８】
2006336198.tif 000020
【図１９】
2006336198.tif 000021
【図２０】
2006336198.tif 000022
【図２１】
2006336198.tif 000023
【図２２】
2006336198.tif 000024
【図２３】
2006336198.tif 000025
【図２４】
2006336198.tif 000026